(57)【要約】【課題】湿度が高い空間や空気の行き渡りにくい場所でのカビの発生を抑制することができることを目的とする。【解決手段】天井面２に取り付けられ下面に室内側に臨む開口１９を有する箱状のフレーム５の内周壁面２９とスクロール状のケーシング１２および接続ダクト２１の外周面３０との間でチャンバー部３１を形成し、パネル用吐出口２８を複数方向塞ぐという構成にしたことにより、壁に近い方向を塞ぎ他方である湿度が高い空間等への給気を多くするので、湿度が高い空間や空気の行き渡りにくい場所でのカビの発生を抑制することができる換気装置を得られる。【選択図】図１
2015152185.tif 000002
【特許請求の範囲】
【請求項１】
天井面に取り付けられ下面に室内側に臨む開口を有する箱状のフレームと、前記フレーム内に配設され下面に吸込口を有し側面に吐出口を有したスクロール状のケーシングと、前記ケーシング内に配設される遠心送風羽根と、前記遠心送風羽根を回転駆動する電動機と、前記ケーシングの側壁に循環口を設け、前記吸込口に連通するように前記ケーシングに設けられた接続ダクトと、この接続ダクトの下方外周に重合する重合部を有し前記室内側に臨む開口を覆う化粧パネルの前記重合部の形成される中央部には前記接続ダクトと連通する周囲に開口を有したパネル用吸込口を有し、前記循環口に連通しほぼ水平方向に吐出されるパネル用吐出口を設け、前記フレームの内周壁面とスクロール状の前記ケーシングおよび前記接続ダクトの外周面との間でチャンバー部を形成し、前記パネル用吐出口を複数方向塞ぐことを特徴とする換気装置。
【請求項２】
循環口と室内側を連通させる循環経路内に静電霧化装置を備えたことを特徴とする請求項１に記載の換気装置。
【請求項３】
パネル用吐出口を化粧パネルの内側から遮蔽板で塞ぐことを特徴とする請求項１に記載の換気装置。
【請求項４】
パネル用吐出口に角度を可変できるルーバーを配設したことを特徴とする請求項１に記載の換気装置。
【請求項５】
化粧パネルはフレームを中心に天井面に沿って、９０度づつ回転させたいずれの方向にも取り付くことを特徴とした請求項１に記載の換気装置。
【発明の詳細な説明】
【技術分野】
【０００１】
本発明は、天井に設けた開口に埋め込まれ、天井裏に配管され屋外と連通するダクトに接続され、室内の換気を行う換気装置に関する。
【背景技術】
【０００２】
従来、この種の換気装置としては、換気を対象とする室内とは別の空間から空気を室内側に給気すると同時に、換気対象の室内の空気を排気することでより一層換気、乾燥の効率を高めた換気装置が知られている。（例えば、特許文献１参照）。
【０００３】
以下、この種の換気装置について、図９を参照しながら説明する。
【０００４】
図９に示すように、換気装置本体１０１は、建物内の屋根裏空間または天井裏空間に設置され、同時に給気形換気装置１０２が同様の空間に設置される。この換気装置本体１０１は本体フレーム１０３の側面に給気吸込口１０４と他の側面に排気口１０５を有し、この換気装置本体１０１の室内側の面を覆うように、下面に室内吸込部１１１と周辺部に室内吐出部１１２を有した化粧グリル１０６が配設される。また換気装置本体１０１の内部には電動機１０７が固定されており、電動機１０７には遠心送風羽根１０８が固定され、遠心送風羽根１０８はケーシング１０９にて形成された給気室内に配設され、その下方にはオリフィス１１０を設けられ、また本体フレーム１０３とケーシング１０９との間に給気風路１１３を有している。
本構造で室内の空気は遠心送風羽根１０８により室内吸込部１１１を通過しオリフィス１１０から室内空気を吸込み、前記排気口１０５から室外に排気される。一方で、給気形換気装置１０２から吐出された給気は、給気吸込口１０４から導入され、換気装置本体１０１内部の給気風路１１３を通過し、化粧グリル１０６の室内吐出部１１２から室内に給気される構成となっている。
【先行技術文献】
【特許文献】
【０００５】
【特許文献１】特開平９−２８０６２７号公報
【発明の概要】
【発明が解決しようとする課題】
【０００６】
このような従来の換気装置においては、湿度が高い空間や空気の行き渡りにくい場所でカビが発生する、という課題を有していた。
【０００７】
そこで本発明は、上記従来の課題を解決するものであり、湿度が高い空間や空気の行き渡りにくい場所でのカビの発生を抑制することができる換気装置を提供することを目的とする。
【課題を解決するための手段】
【０００８】
そして、この目的を達成するために、本発明は、天井面に取り付けられ下面に室内側に臨む開口を有する箱状のフレームと、前記フレーム内に配設され下面に吸込口を有し側面に吐出口を有したスクロール状のケーシングと、前記ケーシング内に配設される遠心送風羽根と、前記遠心送風羽根を回転駆動する電動機と、前記ケーシングの側壁に循環口を設け、前記吸込口に連通するように前記ケーシングに設けられた接続ダクトと、この接続ダクトの下方外周に重合する重合部を有し前記室内側に臨む開口を覆う化粧パネルの前記重合部の形成される中央部には前記接続ダクトと連通する周囲に開口を有したパネル用吸込口を有し、前記循環口に連通しほぼ水平方向に吐出されるパネル用吐出口を設け、前記フレームの内周壁面とスクロール状の前記ケーシングおよび前記接続ダクトの外周面との間でチャンバー部を形成し、前記パネル用吐出口を複数方向塞ぐこととしたものであり、これにより所期の目的を達成するものである。
【発明の効果】
【０００９】
本発明によれば、天井面に取り付けられ下面に室内側に臨む開口を有する箱状のフレームと、前記フレーム内に配設され下面に吸込口を有し側面に吐出口を有したスクロール状のケーシングと、前記ケーシング内に配設される遠心送風羽根と、前記遠心送風羽根を回転駆動する電動機と、前記ケーシングの側壁に循環口を設け、前記吸込口に連通するように前記ケーシングに設けられた接続ダクトと、この接続ダクトの下方外周に重合する重合部を有し前記室内側に臨む開口を覆う化粧パネルの前記重合部の形成される中央部には前記接続ダクトと連通する周囲に開口を有したパネル用吸込口を有し、前記循環口に連通しほぼ水平方向に吐出されるパネル用吐出口を設け、前記フレームの内周壁面とスクロール状の前記ケーシングおよび前記接続ダクトの外周面との間でチャンバー部を形成し、前記パネル用吐出口を複数方向塞ぐ、という構成にしたことにより、壁に近い方向を塞ぎ他方である湿度が高い空間等への給気を多くすることとなるので、湿度が高い空間や空気の行き渡りにくい場所でのカビの発生を抑制することができる、という効果を得ることができる。
【図面の簡単な説明】
【００１０】
【図１】本発明の実施の形態１の換気装置を示す側面構成図
【図２】同換気装置のケーシングを示す下方斜視図
【図３】同換気装置の化粧パネルを外した状態の下方斜視図
【図４】同換気装置の化粧パネルを示す上方斜視図
【図５】同換気装置のフレームとオリフィスを外した状態の内部を示す上方斜視図
【図６】本発明の実施の形態２の換気装置を示す側面構成図
【図７】同換気装置のルーバーを示す上方斜視図
【図８】同換気装置の化粧パネルを示す上方斜視図
【図９】従来の換気装置を示す側面断面図
【発明を実施するための形態】
【００１１】
本発明の請求項１記載の換気装置は、天井面に取り付けられ下面に室内側に臨む開口を有する箱状のフレームと、前記フレーム内に配設され下面に吸込口を有し側面に吐出口を有したスクロール状のケーシングと、前記ケーシング内に配設される遠心送風羽根と、前記遠心送風羽根を回転駆動する電動機と、前記ケーシングの側壁に循環口を設け、前記吸込口に連通するように前記ケーシングに設けられた接続ダクトと、この接続ダクトの下方外周に重合する重合部を有し前記室内側に臨む開口を覆う化粧パネルの前記重合部の形成される中央部には前記接続ダクトと連通する周囲に開口を有したパネル用吸込口を有し、前記循環口に連通しほぼ水平方向に吐出されるパネル用吐出口を設け、前記フレームの内周壁面とスクロール状の前記ケーシングおよび前記接続ダクトの外周面との間でチャンバー部を形成し、前記パネル用吐出口を複数方向塞ぐ、という構成を有する。これにより、壁に近い方向を塞ぎ他方である湿度が高い空間等への給気を多くすることとなるので、湿度が高い空間や空気の行き渡りにくい場所でのカビの発生を抑制することができる、という効果を奏する。
【００１２】
また、循環口と室内側を連通させる循環経路内に静電霧化装置を備えた、という構成にしてもよい。これにより、静電霧化装置から発生する帯電微粒子水が湿度の高い空間や空気の行き渡りにくい場所に流れ込み、室内の臭気やカビと接触して分解することとなるので、湿度が高い空間や空気の行き渡りにくい場所での臭気やカビの発生を抑制することができる、という効果を奏する。
【００１３】
また、パネル用吐出口を化粧パネルの内側から遮蔽板で塞ぐ、という構成にしてもよい。これにより、化粧パネルのフレーム側の任意の方向に遮蔽板を取り付けることとなるので、外観に露出することなく、パネル用吐出口を塞ぐことができデザイン性向上することができる、という効果を奏する。
【００１４】
また、パネル用吐出口に角度を可変できるルーバーを配設した、という構成にしてもよい。これにより、壁に近い方向を塞ぐなど風向を可変させ他方である湿度が高い空間等への給気を多くすることとなるので、より湿度が高い空間や空気の行き渡りにくい場所でのカビの発生を抑制することができる、という効果を奏する。
【００１５】
また、化粧パネルはフレームを中心に天井面に沿って、９０度づつ回転させたいずれの方向にも取り付く、という構成にしてもよい。これにより、本体の設置場所により、化粧パネルを天井面に対し、９０度づつ異なる任意の方向を選択して取り付けることとなるので、インテリア性に配慮した化粧パネルの設置が容易にすることができる、という効果を奏する。
【００１６】
以下、本発明の実施の形態について図面を参照しながら説明する。
【００１７】
（実施の形態１）
図１に示すように、本実施の形態の換気装置は、比較的小さい空間（例えば１．５坪程度）の例えば浴室１などの天井面２の開口部３から天井裏４に突設される。
【００１８】
そして、箱状のフレーム５を有した本体６には、下面に吸込口７と一側面に吐出口８が設けられている。
【００１９】
さらに、本体６内部には、送風機９が設けられている。送風機９は、本体６の天面に設けた電動機１０（一般的にモーターと呼ばれている）の回転軸に固着した送風羽根１１と、この送風羽根１１の外周部を囲んだスクロール状のケーシング１２とで構成されている。
【００２０】
図２に示すように、ケーシング１２は、本体６の吐出口８に連通する送風機吐出口１３と、本体６内に連通する循環口１４と、吸込口７に連通する送風機吸込口１５を有している。
【００２１】
また、ケーシング１２は、循環口１４を開口したスクロール状の側壁部１６と、送風羽根１１の下方に設けられ送風機吸込口１５を開口した底部１７から構成されている。
【００２２】
図１から図３に示すように、底部１７の送風機吸込口１５の周縁には、空気を送風羽根１１に案内するためのベルマウス状の形状を有したオリフィス１８が着脱自在に設けられ、オリフィス１８を外すことにより、送風羽根１１が着脱できる構造となっている。
【００２３】
また、オリフィス１８は室内側に臨む開口１９を覆う化粧パネル２０と連通する接続ダクト２１を有した構造となっている。
【００２４】
側壁部１６は、渦巻状のスクロール板であって、送風機吐出口１３近傍には空気を吐出口８に案内するための舌部２２が設けられている。
【００２５】
循環口１４は、送風機９が運転したとき、ケーシング１２内で圧力の高い部分、すなわち、舌部２２と風路を挟んで対向する側壁部１６に設けるとよい。また、循環口１４からの風量を増やして室内への循環風量を増やすためには、ケーシング１２のスクロール状の部分の開口２３を増やして、循環口１４を広げることになる。本実施の形態では循環口１４として、３箇所の開口２３を有したケーシング１２を用いている。また、ケーシング１２の天板２４と換気装置の本体６の天板２４とを共用しているが、別の手段としてケーシング１２用の天板２４を別に設けてもよい。
【００２６】
接続ダクト２１は下方外周に重合する重合部２５を有し、室内側に臨む開口部３を覆う化粧パネル２０の重合部２５の形成される中央部には接続ダクト２１と連通する格子状の開口２６を有したパネル用吸込口２７を有している。重合部２５は円形や正四角形などの断面形状を有することにより、化粧パネル２０が本体６に対して４方向異なる向きに取り付いた場合でもオリフィス１８と化粧パネル２０を隙間なく重合させることができる。また、重合部２５は上下方向のストローク代を有することにより、化粧パネル２０と本体６の上下方向の距離が変化した場合でも、重合部２５に隙間が生じることなく取り付けることができるため、天井厚みや施工方法の違いにより、本体６と化粧パネル２０の距離が一定とならない場合でも重合部２５に隙間が生じることはない。
【００２７】
化粧パネル２０は中央部にパネル用吸込口２７を有する他に、ケーシング１２の循環口１４に連通し、ほぼ水平方向へ吐出されるパネル用吐出口２８を有している。パネル用吐出口２８は化粧パネル２０の外周に近い場所に４箇所有し（この実施の形態１では４箇所と記載したが、４箇所に特に限定することはない）、４方向へ吐出する構成となっている。
【００２８】
なお、パネル用吐出口２８はフレーム５の内周壁面２９とケーシング１２、および接続ダクト２１の外周面３０との間でチャンバー部３１を形成しており、ケーシング１２の循環口１４から吐出された空気はチャンバー部３１を通り、パネル用吐出口２８の全開口部から室内側へ循環空気として吐出される。
【００２９】
図４に示すように、化粧パネル２０は内側に遮蔽板固定部３２を有しており、パネル用吐出口２８の４箇所すべてに遮蔽板３３を固定できる構造となっている。これにより、パネル用吐出口２８から浴室１の壁面（図示せず）までの距離が近い場合など、循環空気の吐出が必要ない場合は、該当する方向のパネル用吐出口２８を任意で塞ぐことができる。
【００３０】
このような構成としたことにより、化粧パネル２０内側に遮蔽板３３を配接することができるため、外観に露出することなくパネル用吐出口２８の開閉を行い、循環空気の風向を調節することができる。
【００３１】
また、循環空気量はケーシング１２の循環口１４の面積でおよそ決められるため、遮蔽板３３で１方向のパネル用吐出口２８を塞いだ場合、他の３方向から吐出する循環空気量が増えることとなる。
【００３２】
これにより、パネル用吐出口２８からの吹き出し方向を限定することにより、他方向への循環空気量が増え、より遠くまで循環空気を行き渡らせることができる。
【００３３】
なお、化粧パネル２０は外方向開き勝手のふた又状のばね３４により本体６に取り付ける公知の取付手段により取り付けられている。
【００３４】
これにより、本体６と化粧パネル２０の距離が一定に決まらない場合でも、ばね３４により化粧パネル２０が本体６側へ引き寄せられるため、化粧パネル２０は天井面２と隙間なく容易に施工することができる。
【００３５】
また、遮蔽板３３を着脱する場合は、このばね３４を本体６から取り外すことにより化粧パネル２０を本体６から取り外して行う。
【００３６】
また、図１に示すように、本体６の吐出口８には、室外（図示せず）に連通したダクト３５を接続する略筒状のアダプター３６が突設されている。
【００３７】
図５に示すように、ケーシング１２の舌部２２近傍のチャンバー部３１の空間内に静電霧化装置３７を配接している。静電霧化装置３７は樹脂ケース３８で覆われ、下方に向けて開けられた静電霧化装置開口部３９から帯電微粒子水（図示せず）を放出する。
【００３８】
上記構成とすることにより、送風機９を運転すると浴室１の空気は、排気流線４０（図１）に示すように、パネル用吸込口２７、ベルマウスを有したオリフィス１８に導かれながら送風機吸込口１５から送風機９に吸い込まれる。吸い込まれた空気の一部は、送風機吐出口１３から、吐出口８を通りダクト３５から屋外へ排気される。また送風機９に吸い込まれた空気の一部は給気流線４１（図１）に示すように、ケーシング１２の側壁部１６に設けた循環口１４から吹き出され、静電霧化装置３７を配接したチャンバー部３１を通り、パネル用吐出口２８から浴室１へ給気される。
【００３９】
ここで、静電霧化装置３７に通電するとその放電電極（図示せず）は結露を発生させ、帯電微粒子水が発生する。発生した帯電微粒子水は給気流線４１に示すように、パネル用吐出口２８から吹出し浴室１に搬送される。そして、この帯電微粒子水は、浴室１内に発生した臭気成分と反応して分解、除去し、臭気濃度をさらに低減させるなど、空気中の浮遊カビ菌の活動を抑制する。
【００４０】
なお、このとき遮蔽板３３により風向を調節し、パネル用吐出口２８から吹き出される循環空気量を調節することにより、浴室１全体に帯電微粒子水を行き渡らせることができる。
【００４１】
このような構成としたことにより、送風機９の送風による換気だけでなく、静電霧化装置３７から発生する帯電微粒子水を浴室１内に供給し、かつ循環空気の方向や風量を調節して、効果的に循環空気を行き渡らせることによって、短時間で臭気を取り除く、またカビを生えにくくするという効果を奏する。
【００４２】
なお、帯電微粒子水中に含まれるものはヒドロキシルラジカルであり、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により臭いが分解、除去されるのである。
【００４３】
（実施の形態２）
図６から図８を用いて、第２の実施の形態について説明する。
【００４４】
図６から図８において、図１から図５と同様の構成要素については同一の符号を付し、その詳細な説明は省略する。
【００４５】
第２の実施の形態の換気装置は、パネル用吐出口２８を遮蔽板３３で塞ぐ方法ではなく、パネル用吐出口２８に角度を可変できるルーバー４２を配接したことを特徴としたものである。
【００４６】
図６から図８に示すように、ルーバー４２の両端には軸部４３を有し、化粧パネル２０にはルーバー嵌合穴４４を有しており、それぞれを嵌合させて固定している。なお、ルーバー４２は手動で角度を可変することができ、任意の位置で止めることができる。ルーバー４２を閉じた状態にするとパネル用吐出口２８は閉じた状態となる。
【００４７】
また、ルーバー４２が閉じた状態から開いていくと天井面２に沿った風向から斜め下方への風向へと角度が変化していき、パネル用吐出口２８の開口面積４５も広がる。
【００４８】
このような構成としたことにより、パネル用吐出口２８のそれぞれにおいて、循環風量の調節や上下方向の調節など細かな風向調節が可能となる。
【００４９】
なお、実施の形態１と同様に化粧パネル２０は外方向開き勝手のふた又状のばね３４により本体６に取り付ける公知の取付手段により取り付けられている。
【００５０】
これにより、本体６と化粧パネル２０の距離が一定に決まらない場合でも、ばね３４により化粧パネル２０が本体６側へ引き寄せられるため、化粧パネル２０は天井面２と隙間なく容易に施工することができる。
【００５１】
化粧パネル２０の内側には、４方向それぞれ同じ位置にばね嵌合部４６を有しており、ばね３４はばね嵌合部４６に着脱自在に取り付けられている。また、本体６側のケーシング１２の一部に本体側ばね嵌合部４７（図５）を２箇所設け、本体側ばね嵌合部４７にばね３４を固定することにより本体６と化粧パネル２０を固定する構成としている。なお、化粧パネル２０の中央部にあるパネル用吸込口２７は格子状の開口２６を持つため、化粧パネル２０を本体６に固定する際、格子の方向性が生じることとなる。このため、化粧パネル２０の方向を本体６に対して９０度変化させたい場合はばね３４を固定するばね嵌合部４６の位置を変更することにより、本体６に取り付けた際の化粧パネル２０の方向を９０度変更することができる。
【００５２】
このような構成とすることにより、化粧パネル２０を９０度ごとの異なる任意の方向を選択して取り付けることができるため、インテリア性に配慮した化粧パネル２０の設置が可能となる。
【産業上の利用可能性】
【００５３】
本発明にかかる換気装置は、湿度が高い空間や空気の行き渡りにくい場所でのカビの発生を抑制することができることを可能とするものであるので、浴室や居室空間、納戸などに使用される住宅用の換気装置等として有用である。
【符号の説明】
【００５４】
２  天井面
５  フレーム
７  吸込口
８  吐出口
１０  電動機
１１  送風羽根
１２  ケーシング
１４  循環口
２０  化粧パネル
２１  接続ダクト
２５  重合部
２７  パネル用吸込口
２８  パネル用吐出口
３１  チャンバー部
３３  遮蔽板
３７  静電霧化装置
４２  ルーバー
【図１】
2015152185.tif 000003
【図２】
2015152185.tif 000004
【図３】
2015152185.tif 000005
【図４】
2015152185.tif 000006
【図５】
2015152185.tif 000007
【図６】
2015152185.tif 000008
【図７】
2015152185.tif 000009
【図８】
2015152185.tif 000010
【図９】
2015152185.tif 000011